(57)【要約】【課題】丸首シャツ等の首回りの小さい衣類や洗濯物が容易に掛けられるとともに、竿等に吊るした場合は竿等から外れることがないハンガー及び該ハンガーを用いた物干具を提供する。【解決手段】ワイヤーを利用してなり、ハンガー１の引掛部２となる上部中央の部分は逆Ｕ字状に形成され、該引掛部２から左右外方向にそれぞれ斜降する左側辺部３及び右の側辺部４と、該左右の側辺部３、４下端から屈曲して水平状態に形成される底辺部５と、さらに引掛部２から下方に垂設するどちらか一方の端部を折り曲げて形成したＵ字状係合部６と、前記端部と同じ側の左側辺部３の一端部を折り曲げて形成した、く字状係合部７とからなる。そして、これらＵ字状係合部６と、く字状係合部７とをワイヤーの弾性力を利用して係脱自在に係合できるように形成される。【選択図】図１
2007195852.tif 000002
【特許請求の範囲】
【請求項１】
ワイヤーからなり、中央部の逆Ｕ字状の引掛部から両側に且つ外側に斜降する側辺部と該側辺部間の底辺部とからなるハンガーであって、前記引掛部の一端部を折り曲げてＵ字状係合部を形成するとともに、前記側辺部の一端部を折り曲げてく字状係合部を形成してなり、前記Ｕ字状係合部と前記く字状係合部を係脱自在に係合してなることを特徴とするハンガー。
【請求項２】
Ｕ字状係合部及びく字状係合部のそれぞれの先端部にキャップを被着させたことを特徴とする請求項１記載のハンガー。
【請求項３】
請求項１記載のハンガーの複数個を支持体の長さ方向に回動自在に吊設するとともに、該支持体の長さ方向の両端部に吊り下げ体を起伏自在に取り付けてなることを特徴とする物干具。
【請求項４】
吊り下げ体がフックと外部材と内部材とからなり、
前記外部材は前記内部材を嵌入させるための開口部を有する中空体からなり、該開口部側には対向する側面に外側から係合爪、内部材の係合爪収容部及びＵ字状の支持体収容部を備え、該開口部の反対側からフックを回転自在に挿通するとともに該フックの先端部には係合体を備えてなり、
前記内部材は前記外部材に嵌入し得る筒状体からなり、外部材嵌入側にはＵ字状の支持体収容部及び内側寄りに前記外部材の係合体と係合する係合凹部を備え、反対側には前記外部材の係合爪と係合する係合爪を備えてなることを特徴とする請求項３記載の物干具。
【発明の詳細な説明】
【技術分野】
【０００１】
本発明は、主として洗濯物を吊り下げて乾燥する際に使用するハンガー及び物干具に関し、更に詳しくは、特に丸首シャツ、セーターなど首回りの小さい洗濯物でも容易に掛けられるとともに、竿等に引っ掛けた際には竿等から外れる虞れのないハンガー及び該ハンガーを用いた物干具に関する。
【背景技術】
【０００２】
従来のこの種のハンガーとしては、ワイヤー製ハンガーを複数個リング体に取り付けた洗濯物干具などが知られている。
例えば、平面長方形としたリング体の上方に、対向する短辺に２つの吊り下げ具が対向して取り付けられ、下方にハンガーが複数個取り付けられ、リング体の対向する長辺間に補助枠が設けられ、この補助枠の中央部に正面視逆Ｕ字状で両端に水平部を有する係止溝が形成されている。他方、ワイヤー製のハンガーの上部にはこの係止溝に係止する水平係止部が形成されており、この水平係止部を前記係止溝に落とし込むことにより、ハンガーはリング体に着脱自在に係止できるように形成されている。
【０００３】
また、上記洗濯物干具において、係止溝に係止されるワイヤー製ハンガーの形態は、図７に示すように、その水平係止部３１の両端から垂設される部分の中、その片側は途中でワイヤーが寸断されて開口部３２を形成し左右非対称形状からなるとともに、洗濯物と実質的に接触する一方の傾斜部はハンガーの中心を越え、他方の傾斜部の途中で樹脂成形体３３により接合された左右非対称形のハンガーとして形成されている（例えば、特許文献１、図１参照）。
【特許文献１】特開２００４−２０１８８０号公報
【発明の開示】
【発明が解決しようとする課題】
【０００４】
しかしながら、上記従来の洗濯物干具は、ハンガーが左右非対称であるため、洗濯物が不安定な状態になり易く、その上、水平係止部を有するハンガーをリング体の水平部を有する係止溝に引っ掛けただけであるため、風の煽りを受けた際などにおいてはリング体からハンガーが外れる虞がある。
【０００５】
また、ハンガーが着脱自在であることによって、個々のハンガーを独立して使用できると記載されているが、引掛部である水平係止部３１の片側に開口部３２を設けているため、例えば、該ハンガーを竿やロープなどに掛けて洗濯物干具として使用する場合は、強風により外れてしまう虞がある。
【０００６】
さらに、ワイヤー製のハンガーの一方の傾斜部は途中で樹脂成形体３３により接合されて形成されているので、例えば、子供用等の首回りの小さい衣類をハンガーに引っ掛ける際などの場合には、該樹脂成形体３３が支障となり、引っ掛けにくい場合があるという課題を含んでいる。
【０００７】
本発明は上記課題に鑑み、ハンガーとして使う際は、とりわけ丸首シャツ等の衣類や洗濯物が容易に掛けられ、また、個々のハンガーとして竿やロープに吊るして使用する場合においても、本発明のハンガーは実質的に開口部のない閉ループ状であるため強風によっても不用意に外れることがない。また、本発明のハンガーを支持体に多数吊設して物干具として使う際は、洗濯物をハンガーに掛ける場合には上記した効果が発揮されるとともに、強風の際にも外れる虞のない物干具を提供することを目的としている。
【課題を解決するための手段】
【０００８】
上記目的を達成するために、本発明の第１は、ワイヤーからなり、中央部の逆Ｕ字状の引掛部から両側に且つ外側に斜降する側辺部と該側辺部間の底辺部とからなるハンガーであって、前記引掛部の一端部を折り曲げてＵ字状係合部を形成するとともに、前記側辺部の一端部を折り曲げてく字状係合部を形成してなり、前記Ｕ字状係合部と前記く字状係合部を係脱自在に係合してなることを特徴とするハンガーを内容とする（請求項１）。
【０００９】
本発明の請求項２は、Ｕ字状係合部及びく字状係合部のそれぞれの先端部にキャップを被着させたことを特徴とする請求項１記載のハンガーを内容とする。
【００１０】
また、本発明の請求項３は、請求項１記載のハンガーの複数個を支持体の長さ方向に回動自在に吊設するとともに、該支持体の長さ方向の両端部に吊り下げ体を起伏自在に取り付けてなることを特徴とする物干具を内容とする。
【００１１】
本発明の請求項４は、吊り下げ体がフックと外部材と内部材とからなり、
前記外部材は前記内部材を嵌入させるための開口部を有する中空体からなり、該開口部側には対向する側面に外側から係合爪、内部材の係合爪収容部及びＵ字状の支持体収容部を備え、該開口部の反対側からフックを回転自在に挿通するとともに該フックの先端部には係合体を備えてなり、
前記内部材は前記外部材に嵌入し得る筒状体からなり、外部材嵌入側にはＵ字状の支持体収容部及び内側寄りに前記外部材の係合体と係合する係合凹部を備え、反対側には前記外部材の係合爪と係合する係合爪を備えてなることを特徴とする請求項３記載の物干具を内容とする。
【発明の効果】
【００１２】
本発明のハンガーは、ワイヤーからなり、逆Ｕ字状の引掛部から両側に斜降する側辺部と該側辺部間の底辺部とからなるハンガーであって、引掛部の一端部を折り曲げてＵ字状係合部を形成するとともに、側辺部の一端部を折り曲げてく字状係合部を形成し、これらＵ字状係合部と、く字状係合部を係脱自在に係合してなるので、Ｕ字状係合部と、く字状係合部の係合部を片手で且つワンタッチで開閉可能である。
【００１３】
即ち、衣類や洗濯物をハンガーに掛ける際は、例えば、係合部を設けていない側辺部を片手で握り力を加えることにより、Ｕ字状係合部を下降させるとともに、く字状係合部を上昇させ、これらの係合部を少し左右に移動させることにより、掛け合いを容易に解除でき、また、上記と逆の操作により容易に係合させることができる。
【００１４】
更に、本発明のハンガーは、Ｕ字状係合部とく字状係合部の係合を解いて開くことにより、この開いた側辺部側から首回りの部分を引っ掛け、他の側辺部側に引き寄せた後、該他の側辺部に引っ掛け、しかる後にＵ字状係合部とく字状係合部を係合閉鎖することにより、首回りの小さい丸首シャツ、セーター、とっくり等でも容易にハンガーに引っ掛けることができる。
【００１５】
また、ハンガーを竿やロープなどに吊り下げる場合は、Ｕ字状係合部とく字状係合部との係合を解き、この開口部より竿やロープに挿通した後、係合することにより、ハンガーの全周は閉ループ状となるので強風に煽られたりしても外れることはない。
更に、洗濯物を側辺部に引っ掛けた状態では、く字状係合部とは洗濯物の重さによってＵ字状係合部に押し付けられ密着する方向に作用するので一層強く係合し、不用意に係合が解除されることがない。
本発明のハンガーは室内における衣料を引っ掛けるハンガーとして使用される他、竿やロープに吊るして物干用ハンガーとしても使用される。
【００１６】
また、上記ハンガーを用いた本発明の物干具は、ハンガーが上記したような優れた効果を発揮し、極めて有用性の高いものである。
【発明を実施するための最良の形態】
【００１７】
本発明のハンガーは、弾力性に優れたワイヤーを利用し、ハンガーの引掛部となる上部中央の部分は逆Ｕ字状に形成され、該引掛部から左右外方向に斜降する側辺部と該側辺部の端部を内方向に屈曲して水平状態に底辺部を形成してなり、また、引掛部から下方に垂設する左右どちらか一方の一端部を折り曲げてＵ字状係合部を形成するとともに、前記一端部と同じ側の側辺部の一端部を折り曲げてく字状係合部を形成し、ワイヤーの弾力性を利用して、これらＵ字状係合部とく字状係合部を係脱自在に係合できるように形成される。また、Ｕ字状係合部及びく字状係合部のそれぞれの先端部には、必要に応じて、衣類を傷めずに掛け易くするために、樹脂性のキャップを被着させるのが好ましい。
【００１８】
また、上記ハンガーの複数個を、ハンガーの吊り下げ部材である支持体下部の長さ方向に配設し、ハンガーの引掛部を軸として回動自在に吊設するとともに、支持体の長さ方向の両端部には係合軸を形成し、該係合軸に物干し竿やロープに引っ掛けるための吊り下げ体を起伏自在に取り付ければ物干具として利用することができる。
【００１９】
そしてまた、前述の吊り下げ体は、好ましくは、フックと外部材と内部材とからなり、該外部材は内部材を嵌入させるための開口部を有する中空体であって、該開口部側には内部材と対向する側面に、係合爪、内部材の係合爪収容部及び支持体の両端部に設けられた係合軸の軸受けとなるＵ字状の係合軸収容部を備え、また該開口部の反対側からフックを回動自在に挿通して該フックの先端部に係合体を備え、一方、内部材は外部材に嵌入し得る筒状体からなり、外部材への嵌入側にはＵ字状の係合軸収容部及び内側寄りに外部材の係合体と係合してフックの抜けを防止する係合凹部を備え、また反対側には外部材の係合爪と係合する係合爪を備えてなる。
【実施例】
【００２０】
以下、本発明のハンガー及び物干具の好ましい実施態様を図面に基づいて説明するが、本発明はこれらにより何ら限定されるものではない。
【００２１】
実施態様１
本発明の実施態様１について図１〜図３を参照して説明する。図１はハンガーの正面図、図２は同ハンガーを使用するときの手順を説明する図、図３はハンガーを竿やロープに掛けた状態を示す正面図である。
【００２２】
図に示すように、本発明のハンガー１は、弾性力に富むワイヤーを利用してなり、ハンガー１の引掛部２となる上部中央の部分は逆Ｕ字状に形成され、該引掛部２から左右外方向にそれぞれ斜降する左側辺部３及び右側辺部４と、該側辺部３、４の下端から屈曲して水平状態に形成される底辺部５とからなり、さらに、引掛部２から下方に垂設するどちらか一方の端部を折り曲げてＵ字状係合部６を形成し、また前記端部と同じ側の左側側辺部３の一端部を折り曲げてく字状係合部７を形成している。そして、これらＵ字状係合部６と、く字状係合部７とを係脱自在に係合し、且つ係合部にはワイヤーの弾力性を利用して相互に押圧力が作用するように形成される。また、必要に応じてＵ字状係合部と、く字状係合部のそれぞれの先端部にキャップ６ａを被着することもできる。
【００２３】
上記構成からなる本発明のハンガー１は、ワイヤーが曲げに対して弾性力を有しているので、右側辺部４とその下の底辺部５を同時に片手で握るようにすれば、Ｕ字状係合部６が下降し、く字状係合部７が逆に上昇し、両係合部を少し左右に移動させることにより掛け合いが容易に解除される。また、引掛部２、右側辺部４を固定した状態で、左側辺部３を上方に少し持ち上げてもその掛け合いは容易に解除される。また、このようにして、Ｕ字状係合部６と、く字状係合部７との係合を解除した後、図１に破線で示すように、左側辺部３を片手でたやすく変形させることもできる。
【００２４】
次に、本発明のハンガーは一般市販のハンガーと同様に利用できることは勿論であるが、本発明の特徴である利便性の高い使い方の一例を図２に基づいて説明する。
【００２５】
丸首シャツを本発明のハンガーに掛ける場合について説明する。
〔Ｉ〕左側辺部３に丸首シャツ８の首の部分を掛けながらシャツ首の右側を右方向に引っ張る。
【００２６】
〔II〕丸首の右側が右側辺部４にスムーズに掛かれば、従来のハンガーと同様にそのまま左側にずらして済むが、丸首の首回りの直径寸法が例えば子供サイズのように小さく、右側辺部４にスムーズに掛からない場合、あるいはセーター等、引っ張ると型崩れが起こるような場合には、〔II〕に示すようにＵ字状係合部６と、く字状係合部７との係合を解除して丸首の右側を右方向に引っ張り、丸首の右側が右側辺部４にスムーズに掛かるようにする。
【００２７】
〔III 〕丸首シャツ８の両肩がハンガー１の左右側辺部３、４に掛かった後はシャツの全体を左方向にずらし左右のバランスをとり形を整えるとともに、Ｕ字状係合部６と、く字状係合部７とを係合して完了する。
【００２８】
なお、前述以外のハンガー１に丸首シャツ８を掛ける手順としては、図示していないが右側辺部４を片手で握り力を加えると、Ｕ字状係合部６が下降するとともに、く字状係合部７が上昇して、掛合いが容易に解除できるので、この手順方法によっても容易にハンガーに引っ掛けることが可能となる。
【００２９】
〔IV〕前述の〔III 〕までの手順が日常的なハンガーの使い方であるが、さらに、この状態で室内又は戸外の竿やロープに吊るしたい場合には、Ｕ字状係合部６と、く字状係合部７との係合を解除してその隙間から竿やロープに掛けることができる。
【００３０】
図３には本発明のハンガーを竿やロープ９に吊るした状態を示しているが、前記の如く、Ｕ字状係合部６と、く字状係合部７との係合を解除すれば容易に竿やロープ９に吊るすことができ、また、これら係合部にはワイヤーの弾性力により相互に押圧力が作用して閉ループ状となっているので風などに煽られても外れることはないという特徴がある。また、洗濯物を掛けた状態では洗濯物の重みにより、く字状係合部７がＵ字状係合部６を押圧するため、相互の押圧力（係合力）は一層強固となる。
【００３１】
実施態様２
次に、本発明の実施態様２として、前述したハンガーの複数個を支持体に吊設するとともに、該支持体の係合軸に吊り下げ体を取り付けてなる物干具について図４〜図６を参照して説明する。
【００３２】
図４に示すように、矩形状の枠として形成された支持体１０内部の長辺方向には、吊受体１１が、長辺方向の支持体１０の対向する枠を相互に構築するように複数個設けられ、そして該吊受体１１に複数個のハンガー（図では左端の１個をのみを図示している）が支持体１０の長さ方向に回動（揺動）自在に吊設される。ハンガーは、軸受体１１に着脱自在に取り付けてもよいが、強風でも外れないように取り付けるのが好ましい。
【００３３】
支持体１０としては、矩形枠体、板状体、棒状体等が挙げられ、材質としては、樹脂、金属等が挙げられるが、成形性やコストからは樹脂が好ましく、耐久性や高級感からは金属が好ましい。軸受体１１についても同様である。また、吊設されるハンガーの数は特に制限はなく任意に決定すればよいが、通常３〜１０個程度から選ばれる。
【００３４】
また、支持体１０両端の短辺側には吊り下げ体を起伏自在に取り付ける係合軸１２（図示せず）が設けられ、該係合軸１２を介してフック１３、外部材１４及び内部材１５を備えた２個の吊り下げ体１６が起伏自在に取り付けられ物干具１７を形成している。
【００３５】
次に、吊り下げ体の好ましい例を図５（ａ）、（ｂ）、（ｃ）及び図６に基づいて詳述する。
図５（ａ）は吊り下げ体１６の一部を構成する内部材１５の側面図、図５（ｂ）は吊り下げ体１６の一部を構成する外部材１４にフック１３が挿通された状態を示す側面図、図５（ｃ）は吊り下げ体１６が係合軸１２に係合した状態を示す側面図、また、図６は吊り下げ体１６の分解斜視図である。
【００３６】
これらの図に示すように、吊り下げ体１６は、フック１３と外部材１４と内部材１５からなり、外部材１４は内部材１５を嵌入させるための開口部１８を有する中空体からなり、また該開口部１８側には対向する側面に係合爪１９、内部材１５の係合爪収容部２０及びＵ字状の係合軸収容部２１を備え、開口部１８の反対側からフック１３を回転自在に挿通するとともに、この後、該フック１３の先端部に係合体２２を取り付け、該係合体２２の抜け止め防止としてフック１３の端部を潰してストッパー２３を形成している。
【００３７】
一方、内部材１５は外部材１４に嵌入し得る筒状体からなり、外部材１４への嵌入側にはＵ字状の係合軸収容部２１及び内側寄りに外部材１４の係合体２２と係合する係合凹部２４を備え、反対側には外部材１４の係合爪１９と係合する係合爪２５を備えている。
【００３８】
次に、吊り下げ体１６を支持体１０の係合軸１２に取り付ける手順について説明する。まず、図５、６において支持体１０の係合軸１２が内部材１５のＵ字状の係合軸収容部２１に仮収容される状態にした後、フック１３の先端に設けた係合体２２を内部材１５の係合凹部２４に嵌入係合させ、そして外部材１４を固定してフック１３をストッパー２３と反対側に引き寄せる。これによって、内部材１５は外部材１４の開口部１８から嵌入し、続いて内部材１５の係合爪２５が外部材１４の係合爪１９を押し拡げながら外部材１４に設けた内部材１５の係合爪収容部２０に入り、係合爪１９とかみ合って密着結合する。その結果、吊り下げ体１６は支持体１０の係合軸１２に起伏自在に組み付けられる。
【００３９】
即ち、吊り下げ体１６は、図４に矢示したように、支持体１０側又はその反対側の外側に起伏自在である。この場合、必要に応じ、反対側に９０度（支持体と略同じ水平）を越えて吊り下げ体１６が回動しないようにストッパーを設けてもよい。
【００４０】
本発明の物干具は、２個の吊り下げ体１６を起立させて竿やロープなどに吊り下げて物干具として使用される。また、洗濯物が乾くと、例えば、一方の吊り下げ体１６を鴨居、釘などの引っ掛け具に引っ掛けると、ハンガーを伏せた（寝かせた）状態で、下方に垂れ下がった状態となり、場所をとらない極めてコンパクトな状態とすることができる。したがって、ハンガーが壁や襖に当たってこれらを傷をつける虞れもない。
【産業上の利用可能性】
【００４１】
叙上のとおり、本発明のハンガーは、ワイヤーからなり、逆Ｕ字状の引掛部から両側に斜降する側辺部と該側辺部間の底辺部とからなるハンガーであって、引掛部の一端部を折り曲げてＵ字状係合部を形成するとともに、側辺部の一端部を折り曲げてく字状係合部を形成し、これらＵ字状係合部と、く字状係合部を係脱自在に係合してなるので、Ｕ字状係合部と、く字状係合部の係合部を片手で且つワンタッチで開閉可能である。
【００４２】
したがって、衣類や洗濯物をハンガーに掛ける際は、例えば、係合部を設けていない側辺部を片手で握り力を加えることにより、Ｕ字状係合部が下降させるとともに、く字状係合部を上昇させ、これらの係合部を少し左右に移動させることにより、掛け合いを容易に解除でき又は係合させることができる。
【００４３】
更に、本発明のハンガーは、Ｕ字状係合部とく字状係合部の係合を解いて開くことにより、この開いた側辺部側から首回りの部分を引っ掛け、他の側辺部側に引き寄せた後、該他の側辺部に引っ掛け、しかる後にＵ字状係合部とく字状係合部を係合閉鎖することにより、首回りの小さい丸首シャツ、セーター、とっくり等でも容易にハンガーに引っ掛けることができる。
【００４４】
また、ハンガーを竿やロープなどに吊り下げる場合は、Ｕ字状係合部とく字状係合部との係合を解き、この開口部より竿やロープに挿通した後、係合することにより、ハンガーの全周は閉ループ状となるので強風に煽られたりしても外れることはない。更に、洗濯物を側辺部に引っ掛けた状態では、く字状係合部とは洗濯物の重さによってＵ字状係合部に押し付けられ密着する方向に作用するので一層強く係合し、不用意に係合が解除されることがない。
【００４５】
上記ハンガーを用いた本発明の物干具は、ハンガーが上記したような多くの効果を発揮するもので、極めて有用性の高いものである。
【図面の簡単な説明】
【００４６】
【図１】本発明の実施態様１におけるハンガーの正面図である。
【図２】同ハンガーを使用する際の手順を説明する図である。
【図３】同ハンガーを竿やロープに掛けた状態を示す正面図である。
【図４】本発明の実施態様２における物干具を示す斜視図である。
【図５】（ａ）同物干具の吊り下げ体を構成する内部材を示す側面図である。  （ｂ）同物干具の吊り下げ体を構成する外部材にフックを挿通した状態を示す側面図である。  （ｃ）同吊り下げ体が支持体の係合軸に係合した状態を示す側面図である。
【図６】同吊り下げ体の分解斜視図である。
【図７】従来のハンガーの一例を示す正面図である。
【符号の説明】
【００４７】
１  ハンガー
２  引掛部
３  左側辺部
４  右側辺部
５  底辺部
６  Ｕ字状係合部
６ａ  キャップ
７  く字状係合部
８  丸首シャツ
９  竿、ロープ
１０  支持体
１１  吊受体
１２  係合軸
１３  フック
１４  外部材
１５  内部材
１６  吊り下げ体
１７  物干具
１８  開口部
１９  係合爪
２０  内部材の係合爪収容部
２１  Ｕ字状の係合軸収容部
２２  係合体
２３  ストッパー
２４  係合凹部
２５  係合爪
３１  水平係止部
３２  開口部
３３  樹脂成形体
【図１】
2007195852.tif 000003
【図２】
2007195852.tif 000004
【図３】
2007195852.tif 000005
【図４】
2007195852.tif 000006
【図５】
2007195852.tif 000007
【図６】
2007195852.tif 000008
【図７】
2007195852.tif 000009